【事件の表示】
　特願２０１７−１００４７号「遊技機」拒絶査定不服審判事件〔平成２９年４月６日出願公開、特開２０１７−６４５５５号〕について、次のとおり審決する。
【結　論】
　本件審判の請求は、成り立たない。
【理　由】
第１　手続の経緯
　本願は、平成２７年４月６日に出願した特願２０１５−７７９９６号の一部を平成２９年１月２４日に新たな特許出願とした特願２０１７−１００４７号であって、平成２９年１月２４日付けで上申書が提出され、同年８月２３日に刊行物等提出書が提出され、同年１０月１２日付けで拒絶の理由が通知され、同年１２月１３日に意見書及び手続補正書が提出されたが、平成３０年５月１８日付けで拒絶査定（謄本送達日　同年同月２４日）がなされ、これに対し、同年８月１０日に拒絶査定不服審判請求がなされるとともに、同時に手続補正がなされたものである。
　
第２　平成３０年８月１０日付けの手続補正についての補正却下の決定
［補正却下の決定の結論］
　平成３０年８月１０日付けの手続補正（以下「本件補正」という。）を却下する。
　
［理由］
１　補正の内容
　本件補正は、特許請求の範囲を補正する内容を含んでおり、本件補正により、特許請求の範囲の請求項１は、
「【請求項１】
　遊技球が流下可能な遊技領域を有する遊技機において、
　取得条件の成立により判定情報を取得する取得手段と、
　前記取得手段により取得された判定情報を保留可能な保留記憶手段と、
　遊技の進行を制御する第１制御手段と、
　前記遊技の進行に応じて演出を表示する演出表示手段を制御する第２制御手段とを備え、
　前記遊技領域外に、前記第１制御手段により制御され現在の遊技の状態を示す複数種類の遊技状態情報を表示する第１状態表示器を設け、
　前記遊技領域に、遊技球が流下しない特定遊技領域を設け、
　前記特定遊技領域に、前記第２制御手段により制御され現在の遊技の状態を示す１又は複数種類の遊技状態情報を表示する第２状態表示器を設け、
　前記演出表示手段及び前記第１状態表示器は、前記第２状態表示器で表示される同一の遊技状態情報を表示可能であり、
　前記第１状態表示器は、前記第２状態表示器で表示されない遊技状態情報を表示可能であり、
　前記演出表示手段及び前記第１，第２状態表示器は、前記同一の遊技状態情報として、前記保留記憶手段に保留されている判定情報の保留数を表示可能であり、
　前記演出表示手段及び前記第１，第２状態表示器に前記保留数が表示されているときに前記演出表示手段に特定演出が表示されると、前記演出表示手段では前記保留数の表示が非表示になる一方、前記第１，第２状態表示器では前記保留数の表示が継続される、
　ことを特徴とする遊技機。」（平成２９年１２月１３日付けの手続補正）
から、
「【請求項１】
　遊技球が流下可能な遊技領域を有する遊技機において、
　取得条件の成立により判定情報を取得する取得手段と、
　前記取得手段により取得された判定情報を保留可能な保留記憶手段と、
　遊技の進行を制御する第１制御手段と、
　前記遊技の進行に応じて演出を表示する演出表示手段を制御する第２制御手段とを備え、
　前記遊技領域外に、前記第１制御手段により制御され現在の遊技の状態を示す複数種類の遊技状態情報を表示する第１状態表示器を設け、
　前記遊技領域に、遊技球が流下しない特定遊技領域を設け、
　前記特定遊技領域に、前記第２制御手段により制御され現在の遊技の状態を示す１又は複数種類の遊技状態情報を表示する第２状態表示器を設け、
　前記演出表示手段及び前記第１状態表示器は、前記第２状態表示器で表示される同一の遊技状態情報を表示可能であり、
　前記第１状態表示器は、前記第２状態表示器で表示されない遊技状態情報を表示可能であり、
　前記演出表示手段及び前記第１，第２状態表示器は、前記同一の遊技状態情報として、前記保留記憶手段に保留されている判定情報の
保留数に関する保留表示
　
前記演出表示手段は、前記保留表示として、前記保留記憶手段に記憶されている判定情報の保留数を示す第１保留表示と、前記保留記憶手段に記憶されている判定情報の保留数に対応する数の識別子を示す第２保留表示とを表示可能であり、
　前記演出表示手段及び前記第１，第２状態表示器に前記
保留表示
第２保留表示
で前記第１保留表示が継続して表示され
保留表示
継続して表示
　ことを特徴とする遊技機。」（平成３０年８月１０日付けの手続補正）に補正された（下線は、補正箇所を明示するために審決にて付した。）。
　
２　補正の適否について
　上記補正は、補正前の請求項１に記載した発明を特定するために必要な事項である「保留記憶手段に保留されている判定情報の保留数を表示可能であ」ることに関して、「保留数」との発明特定事項を「保留数に関する保留表示」と限定した上で、「前記演出表示手段は、前記保留表示として、前記保留記憶手段に記憶されている判定情報の保留数を示す第１保留表示と、前記保留記憶手段に記憶されている判定情報の保留数に対応する数の識別子を示す第２保留表示とを表示可能であり」との限定事項を付加し、その後に続く「保留数」との発明特定事項も合わせて「保留表示」に記載を整合させた上で、「前記演出表示手段では前記保留数の表示が非表示になる一方、前記第１，第２状態表示器では前記保留数の表示が継続される」を「前記演出表示手段では前記
第２保留表示
で前記第１保留表示が継続して表示され
保留表示
継続して表示
　また、補正前の請求項に記載された発明と補正後の請求項に記載された発明の産業上の利用分野及び解決しようとする課題は同一である。
　したがって、本件補正は、特許法第１７条の２第５項第２号の特許請求の範囲の減縮を目的とするものである。
　そして、本件補正は、願書に最初に添付した明細書の段落【０１７４】ないし【０１７６】等の記載及び図３５等の記載からみて、新規事項を追加するものでないから、特許法第１７条の２第３項に規定する要件を満たす。
　
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　ここで、本件補正発明を再掲すると、次のとおりのものである（当審にて、分説のための記号ＡからＮを付した。以下「構成Ａ」等という。）。
「【請求項１】
Ａ　遊技球が流下可能な遊技領域を有する遊技機において、
Ｂ　取得条件の成立により判定情報を取得する取得手段と、
Ｃ　前記取得手段により取得された判定情報を保留可能な保留記憶手段と、
Ｄ　遊技の進行を制御する第１制御手段と、
Ｅ　前記遊技の進行に応じて演出を表示する演出表示手段を制御する第２制御手段とを備え、
Ｆ　前記遊技領域外に、前記第１制御手段により制御され現在の遊技の状態を示す複数種類の遊技状態情報を表示する第１状態表示器を設け、
Ｇ　前記遊技領域に、遊技球が流下しない特定遊技領域を設け、
Ｈ　前記特定遊技領域に、前記第２制御手段により制御され現在の遊技の状態を示す１又は複数種類の遊技状態情報を表示する第２状態表示器を設け、
Ｉ　前記演出表示手段及び前記第１状態表示器は、前記第２状態表示器で表示される同一の遊技状態情報を表示可能であり、
Ｊ　前記第１状態表示器は、前記第２状態表示器で表示されない遊技状態情報を表示可能であり、
Ｋ　前記演出表示手段及び前記第１，第２状態表示器は、前記同一の遊技状態情報として、前記保留記憶手段に保留されている判定情報の
保留数に関する保留表示
Ｌ　
前記演出表示手段は、前記保留表示として、前記保留記憶手段に記憶されている判定情報の保留数を示す第１保留表示と、前記保留記憶手段に記憶されている判定情報の保留数に対応する数の識別子を示す第２保留表示とを表示可能であり、
Ｍ　前記演出表示手段及び前記第１，第２状態表示器に前記
保留表示
第２保留表示
で前記第１保留表示が継続して表示され
保留表示
継続して表示
Ｎ　ことを特徴とする遊技機。」
　
（１）引用文献及び引用発明
ア　引用文献１
　原査定の拒絶の理由に引用文献１として引用された特開２０１３−４８７６４号公報（以下「引用文献１」という。）には、図面とともに以下の事項が記載されている。
（ア）「【０００１】
　本発明は、
弾球遊技機
（イ）「【００１１】
　前面枠扉１０６は、ロック機能付きでかつ開閉自在となるように
パチンコ機１００の
前面枠扉１０６
の後面と遊技盤２００の前面とで遊技領域１２４を区画形成
（ウ）「【００１９】
　図４は、遊技盤２００を正面から見た略示正面図である。
遊技盤２００には、外レール２０２と内レール２０４とを配設し、遊技球が転動可能な遊技領域１２４を区画形成し
遊技領域１２４の略中央には、演出装置２０６を配設し
演出装置２０６には、略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し
（エ）「【００２２】
　
普図保留ランプ２１６は、保留している普図変動遊技
の数を示すためのランプであり、
特図１保留ランプ２１８および特図２保留ランプ２２０は、
特図変動遊技を所定数
まで保留することを可能とし
【００２９】
　さらに、これらの入賞口や始動口の近傍には、風車と呼ばれる円盤状の打球方向変換部材２３６や、遊技釘２３８を複数個、配設しているとともに、内レール２０４の最下部には、いずれの入賞口や始動口にも入賞しなかった球をパチンコ機１００の裏側に誘導した後、遊技島側に排出するためのアウト口２４０を設けている。
【００３０】
　パチンコ機１００は、遊技者が上皿１２６に貯留している球を発射レールの発射位置に供給し、遊技者の操作ハンドルの操作量に応じた強度で発射モータを駆動し、発射杆１４６および発射槌１４８によって外レール２０２、内レール２０４を通過させて遊技領域１２４に打ち出す。そして、
遊技領域１２４の上部に到達した球は、打球方向変換部材２３６や遊技釘２３８等によって進行方向を変えながら下方に落下し、入賞口
や始動口
に入賞するか、いずれの入賞口や始動口にも入賞することなく、または普図始動口２２８を通過するのみでアウト口２４０に到達する
（オ）「【００３１】
　次に、パチンコ機１００の演出装置２０６について説明する。
演出装置２０６の前面側には、遊技球の転動可能な領域にワープ装置２４２および前面ステージ２４４を配設し
遊技球の転動不可能な領域に演出可動体２２４を配設している。
【００３４】
　また
演出装置２０６には、装飾図柄表示装置２０８の表示画面の右側に隣接して、補助表示部８００が設けられ
装飾図柄等を含む所定の演出情報を表示
装飾図柄表示装置２０８に表示される演出情報の一部または全てを表示可能であ
（カ）「【００３７】
　次に、図６を用いて、このパチンコ機１００の制御部の回路構成について詳細に説明する。なお、同図は制御部の回路ブロック図を示したものである。
パチンコ機１００の制御部は、
遊技の中枢部分を制御する主制御部３００と、主制御部３００が送信するコマンド信号
に応じて主に演出の制御を行う第１副制御部４００と、第１副制御部４００より送信されたコマンドに基づいて各種機器を制御する第２副制御部５００と、
によって構成
【００３８】
　まず、
パチンコ機１００の主制御部３００
主制御部３００は、主制御部３００の全体を制御する基本回路３０２を備え
【００３９】
　また、
基本回路３０２には、
所定の図柄表示装置、
特図１表示装置２１２や特図２表示装置２１４の表示制御を行うための駆動回路３２４と、所定の図柄表示装置、例えば普図表示装置２１０の表示制御を行うための駆動回路３２６と、各種状態表示部３２８（
普図保留ランプ２１６、特図１保留ランプ２１８、特図２保留ランプ２２０、高確中ランプ２２２
）の表示制御を行うための駆動回路３３０と、
を接続し
（キ）「【００７６】
　次に、図９を用いて、主制御部３００のＣＰＵ３０４が実行する主制御部タイマ割込処理について説明する。なお、同図は主制御部タイマ割込処理の流れを示すフローチャートである。
主制御部３００は、
【００８９】
　
特図１始動口２３０へ入賞があった場合かつＲＡＭ３０８に設けた対応する特図１保留数記憶領域が満タンでない場合、
特図１当選乱数値を取得するとともに、
特図１乱数値を取得して特図１乱数値記憶領域に取得順に格納
【００９０】
　
特図２始動口２３２へ入賞があった場合かつＲＡＭ３０８に設けた対応する特図２保留数記憶領域が満タンでない場合、
特図２当選乱数値を取得するとともに、
特図２乱数値を取得して特図２乱数値記憶領域に取得順に格納
【００９１】
　
普図始動口２２８へ入賞があった場合かつＲＡＭ３０８に設けた対応する普図保留数記憶領域が満タンでない場合、
普図当選乱数値として取得して対応する普図乱数値記憶領域に格納
（ク）「【０１１６】
　これらの特図関連抽選処理についても、主制御部３００が特図２関連抽選処理を特図１関連抽選処理よりも先に行うことで、特図２変動遊技の開始条件と、特図１変動遊技の開始条件が同時に成立した場合でも、特図２変動遊技が先に変動中となるため、特図１変動遊技は変動を開始しない。また、特図２変動遊技の保留数が１以上の場合には、特図１変動遊技の保留に関する抽選処理や変動遊技は行われない。また、
装飾図柄表示装置２０８による、特図変動遊技の当否判定の結果の報知は、第１副制御部４００によって行われ、
（ケ）「【０１３１】
　次に、図１０を用いて、第１副制御部４００の処理について説明する。図１０（ａ）は、
第１副制御部４００のＣＰＵ４０４
【０１３８】
　ステップＳ４１５の次のステップＳ４１７では、ランプ制御処理を行う。ランプ制御処理では、ステップＳ４０９で読み出した演出データの中に各種ランプ４１８（例えば、
補助表示部８００の各セグメント
への命令がある場合には、この命令を駆動回路４２０に出力
（コ）「【０１６４】
　
補助表示部８００の表示領域の下部のうち左寄りには、それぞれ円形状を有し、特図１変動遊技の保留数を表示する４つの円形セグメント８０８ａ〜８０８ｄが設けられ
また、補助表示部８００の表示領域の下部のうち右寄りには、それぞれ円形状を有し、特図２変動遊技の保留数を表示する４つの円形セグメント８０９ａ〜８０９ｄが設けられ
（サ）「【０１６８】
　また、図１４において、
装飾図柄表示装置２０８の演出表示領域２０８ｄのうち下端の領域は、特図保留数を表示する特図保留表示領域として用いられ
特図保留表示領域のうち左半分は特図１の保留数を表示する特図１保留表示領域９０１であり、右半分は特図２の保留数を表示する特図２保留表示領域９０２であ
特図１保留表示領域９０１には、最大保留数
に等しい円形画像が表示され
このうち、特図１の保留数に等しい個数の円形画像は所定色に表示されており、その他の円形画像は白色に表示され
特図２保留表示領域９０２についても同様であ
【０１７０】
　図１４（ａ）および図１５（ａ）
特図２変動遊技が終了した状態
特図１保留表示領域９０１の４つの円形画像および特図２保留表示領域９０２の４つの円形画像は、全て所定色で表示されている
【０１７１】
　
補助表示部８００の
円形セグメント８０８ａ〜８０８ｄ
円形セグメント８０９ａ〜８０９ｄは全て点灯している
【０１７４】
　その後、
図１４（ｃ）および図１５（ｃ）
図柄表示領域２０８ｂ、２０８ｃおよび７セグメント部８０２ｂ、８０２ｃでは、変動表示が続行している
【０１７５】
　次に、
図１４（ｄ）に示すように、
リーチ演出が実行される
図１５（ｄ）に示すように、
同期して、
リーチ演出が実行される
（シ）図４、６、１２、１４及び１５は次のとおりである。
【図４】
【図６】
【図１２】
【図１４】
【図１５】
（ス）上記（ア）ないし（サ）の記載を踏まえて、上記（シ）の図４を見ると、下記（ａ）ないし（ｅ）の点が見てとれる。
（ａ）「外レール２０２と内レール２０４とを配設し、遊技球が転動可能な遊技領域１２４を区画形成し」（上記「（ウ）」段落【００１９】）、当該「遊技領域１２４の上部に到達した球は、打球方向変換部材２３６や遊技釘２３８等によって進行方向を変えながら下方に落下し、入賞口や始動口に入賞するか、いずれの入賞口や始動口にも入賞することなく、または普図始動口２２８を通過するのみでアウト口２４０に到達する」（上記「（エ）」段落【００３０】）とされる、外レール２０２と内レール２０４とが区画形成した遊技球が転動可能な遊技領域１２４には、打球方向変換部材２３６や遊技釘２３８が配設されていること。
（ｂ）「演出装置２０６には、略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し」（上記「（ウ）」段落【００１９】）、「演出装置２０６の前面側には、遊技球の転動可能な領域にワープ装置２４２および前面ステージ２４４を配設し」（上記「（オ）」段落【００３１】）、当該演出装置２０６には遊技釘２３８が全く無いこと。
（ｃ）「演出装置２０６の前面側には、遊技球の転動不可能な領域に演出可動体２２４を配設し」（上記「（オ）」段落【００３１】）、当該演出可動体２２４の下側には、装飾図柄表示装置２０８と、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２が配設されていること。
（ｄ）「特図２変動遊技が終了した状態」であって「特図２保留表示領域９０２の４つの円形画像は、全て所定色で表示され」、「補助表示部８００の円形セグメント８０８ａ〜８０８ｄ、円形セグメント８０９ａ〜８０９ｄは全て点灯している」「図１４（ａ）および図１５（ａ）」（上記「（サ）」段落【０１７０】、【０１７１】）及び「図柄表示領域２０８ｂ、２０８ｃおよび７セグメント部８０２ｂ、８０２ｃでは、変動表示が続行している」「図１４（ｃ）および図１５（ｃ）」（上記「（サ）」段落【０１７４】）を見ると、
変動表示が続行している場合は、装飾図柄表示装置２０８の特図１保留表示領域９０１及び特図２保留表示領域９０２の所定数は所定色で表示され、特図１保留ランプ２１８及び特図２保留ランプ２２０の所定数は点灯状態であり、補助表示部８００の円形セグメント８０８ａ〜８０８ｄ及び円形セグメント８０９ａ〜８０９ｄの所定数は点灯し
（ｅ）「リーチ演出が実行される」「図１４（ｄ）、（ｅ）、（ｆ）及び図１５（ｄ）、（ｅ）、（ｆ）」（上記「（サ）」段落【０１７５】）を見ると、
装飾図柄表示装置２０８にリーチ演出が表示された場合は、装飾図柄表示装置２０８の特図１保留表示領域９０１及び特図２保留表示領域９０２の所定数は所定色で表示され、特図１保留ランプ２１８及び特図２保留ランプ２２０の所定数は点灯状態であり、補助表示部８００の円形セグメント８０８ａ〜８０８ｄ及び円形セグメント８０９ａ〜８０９ｄの所定数は点灯している
　
（セ）上記（ス）を踏まえると、「外レール２０２と内レール２０４とが区画形成した遊技球が転動可能な遊技領域１２４には、打球方向変換部材２３６や遊技釘２３８が配設されていること」（上記「（ス）」「（ａ）」）から見て、「遊技球が転動可能な遊技領域１２４」には「遊技釘２３８」が配設されていると認められる。
　これに対して、「演出装置２０６」の「装飾図柄表示装置２０８」、「第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し」た領域には遊技釘２３８が全く無く（上記「（ス）」「（ｂ）」）、「演出装置２０６」の「演出可動体２２４を配設し」た領域は「遊技球の転動不可能な領域」であって、「当該演出可動体２２４の下側には、装飾図柄表示装置２０８と、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２が配設されている」（上記「（ス）」「（ｃ）」）から、「装飾図柄表示装置２０８、第１特別図柄表示装置２１２、第２特別図柄表示装置２１４、普通図柄表示装置２１０、第１特別図柄保留ランプ２１８、第２特別図柄保留ランプ２２０、普通図柄保留ランプ２１６、高確中ランプ２２２、補助表示部８００及び演出可動体２２４」が配設された「演出装置２０６の前面側」の領域は、「遊技球の転動不可能な領域」であると認められる。
　そうすると、引用文献１の「
装飾図柄表示装置２０８、第１特別図柄表示装置２１２、第２特別図柄表示装置２１４、普通図柄表示装置２１０、第１特別図柄保留ランプ２１８、第２特別図柄保留ランプ２２０、普通図柄保留ランプ２１６、高確中ランプ２２２、補助表示部８００及び演出可動体２２４」は「遊技球の転動不可能な領域」に設けられ
　
（ソ）引用発明
　上記（ア）ないし（セ）の記載事項を総合すると、引用文献１には、次の発明（以下「引用発明」という。）が記載されていると認められる（当審にて、本件補正発明の構成ＡからＮに対応させて、記号ａないしｎを付した。）。
「ａ　パチンコ機１００の前面枠扉１０６の後面と遊技盤２００の前面とで遊技領域１２４を区画形成し（上記（イ））、
ｂ、ｃ　主制御部３００は、特図１始動口２３０へ入賞があった場合かつＲＡＭ３０８に設けた対応する特図１保留数記憶領域が満タンでない場合、特図１当選乱数値を取得するとともに、特図１乱数値を取得して記憶手段の特図１乱数値記憶領域に取得順に格納し、また、主制御部３００は、特図２始動口２３２へ入賞があった場合かつＲＡＭ３０８に設けた対応する特図２保留数記憶領域が満タンでない場合、特図２当選乱数値を取得するとともに、特図２乱数値を取得して記憶手段の特図２乱数値記憶領域に取得順に格納し、普図始動口２２８へ入賞があった場合かつＲＡＭ３０８に設けた対応する普図保留数記憶領域が満タンでない場合、普図当選乱数値として取得して対応する記憶手段の普図乱数値記憶領域に格納し（上記（キ））、
ｄ、ｅ　前記パチンコ機１００の制御部は、遊技の中枢部分を制御する主制御部３００と、主制御部３００が送信するコマンド信号に応じて主に演出の制御を行う第１副制御部４００と、第１副制御部４００より送信されたコマンドに基づいて各種機器を制御する第２副制御部５００と、によって構成され（上記（カ））、装飾図柄表示装置２０８による特図変動遊技の当否判定の結果の報知は前記第１副制御部４００によって行われ（上記（ク））、
ｆ　前記遊技盤２００には、外レール２０２と内レール２０４とを配設し、遊技球が転動可能な遊技領域１２４を区画形成し、前記遊技領域１２４の略中央には、演出装置２０６を配設し、前記演出装置２０６には、略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し（上記（ウ））、前記普図保留ランプ２１６は、保留している普図変動遊技の数を示すためのランプであり、前記特図１保留ランプ２１８および特図２保留ランプ２２０は、特図変動遊技を所定数まで保留することを可能とし（上記（エ））、前記パチンコ機１００の主制御部３００は、主制御部３００の全体を制御する基本回路３０２を備え、前記基本回路３０２には、所定の図柄表示装置、特図１表示装置２１２や特図２表示装置２１４の表示制御を行うための駆動回路３２４と、所定の図柄表示装置、普図表示装置２１０の表示制御を行うための駆動回路３２６と、各種状態表示部３２８（普図保留ランプ２１６、特図１保留ランプ２１８、特図２保留ランプ２２０、高確中ランプ２２２）の表示制御を行うための駆動回路３３０と、を接続し（上記（カ））、
ｇ　前記演出装置２０６の前面側には、遊技球の転動不可能な領域に演出可動体２２４を配設し（上記（オ））、装飾図柄表示装置２０８、第１特別図柄表示装置２１２、第２特別図柄表示装置２１４、普通図柄表示装置２１０、第１特別図柄保留ランプ２１８、第２特別図柄保留ランプ２２０、普通図柄保留ランプ２１６、高確中ランプ２２２、補助表示部８００及び演出可動体２２４は前記遊技球の転動不可能な領域に設けられ（上記（セ））、
ｈ、ｊ　演出装置２０６には、装飾図柄表示装置２０８の表示画面の右側に隣接して、補助表示部８００が設けられ、装飾図柄等を含む所定の演出情報を表示し、装飾図柄表示装置２０８に表示される演出情報の一部または全てを表示可能であり（上記（オ））、前記第１副制御部４００のＣＰＵ４０４は、補助表示部８００の各セグメントへの命令がある場合には、この命令を駆動回路４２０に出力し（上記（ケ））、前記補助表示部８００の表示領域の下部のうち左寄りには、それぞれ円形状を有し、特図１変動遊技の保留数を表示する４つの円形セグメント８０８ａ〜８０８ｄが設けられ、また、補助表示部８００の表示領域の下部のうち右寄りには、それぞれ円形状を有し、特図２変動遊技の保留数を表示する４つの円形セグメント８０９ａ〜８０９ｄが設けられ（上記（コ））、
ｉ、ｋ、ｌ　前記装飾図柄表示装置２０８の演出表示領域２０８ｄのうち下端の領域は、特図保留数を表示する特図保留表示領域として用いられ、特図保留表示領域のうち左半分は特図１の保留数を表示する特図１保留表示領域９０１であり、右半分は特図２の保留数を表示する特図２保留表示領域９０２であり、前記特図１保留表示領域９０１には、最大保留数に等しい円形画像が表示され、このうち、特図１の保留数に等しい個数の円形画像は所定色に表示されており、その他の円形画像は白色に表示され、前記特図２保留表示領域９０２についても同様であり（上記（サ））、
ｍ　変動表示が続行している場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能であるとともに、装飾図柄表示装置２０８にリーチ演出が表示された場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能である（上記（ス））、
ｎ　弾球遊技機（上記（ア））。」
　
イ　引用文献２
　原査定の拒絶の理由に引用文献２として引用された特開２０１４−２１７６０２号公報（以下「引用文献２」という。）には、図面とともに以下の事項が記載されている。
（ア）「【技術分野】
【０００１】
　本発明は、所定の契機に基づく判定にしたがって、遊技者に有利な特別遊技を行う
遊技機
（イ）「【００１５】
　
遊技盤１１０
遊技領域１１１
　本実施の形態では、遊技者により視認され易い遊技領域１１１の位置に、演出のための各種の画像を表示する画像表示部１１４が配設されている。この画像表示部１１４は、液晶ディスプレイ等による表示画面を備え、遊技者によるゲームの進行に伴い、例えば、図柄抽選結果（図柄変動結果）を遊技者に報知するための装飾図柄を表示したり、キャラクタの登場やアイテムの出現による演出画像を表示したりする。・・・
【００１７】
　遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。・・・
【００２１】
　また、本実施の形態では、入賞や抽選に関するその他の役物として、特別図柄抽選の結果に応じて開放する特別電動役物としての大入賞口１２５と、遊技球が入賞しても抽選が始動しない普通入賞口１２６と、が遊技盤１１０に配設されている。
　本実施の形態では、
遊技盤１１０の右下の位置に、抽選結果や保留数に関する表示を行う表示器１３０が配設
【００２５】
　図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
　パチンコ遊技機１００の
表示器１３０は、
第１始動口１２１の入賞に対応して作動する第１特別図柄表示器２２１と、第２始動口１２２の入賞に対応して作動する第２特別図柄表示器２２２と、ゲート１２４の通過に対応して作動する普通図柄表示器２２３と、を備え
（ウ）図１及び２は次のとおりである。
【図１】
【図２】
　
（エ）上記（ア）及び（イ）の記載を踏まえて、上記（ウ）の図１を見ると、表示器１３０は、遊技盤１１０の右下の遊技領域１１１の外に配設されている点が見てとれる。
（オ）上記（ア）ないし（エ）によれば、引用文献２には次の事項（以下「引用文献２に記載の事項」という。）が記載されている。
「遊技機において、第１始動口の入賞に対応して作動する第１特別図柄表示器と、第２始動口の入賞に対応して作動する第２特別図柄表示器と、ゲートの通過に対応して作動する普通図柄表示器と、を備え、抽選結果や保留数に関する表示を行う表示器を、遊技盤の右下の遊技領域の外に配設する点。」
　
（２）対比
　本願補正発明と引用発明とを対比する。
ア　引用発明の「パチンコ機１００」は、「前面枠扉１０６の後面と遊技盤２００の前面とで遊技領域１２４を区画形成し」（構成ａ）、「前記遊技盤２００には、外レール２０２と内レール２０４とを配設し、遊技球が転動可能な遊技領域１２４を区画形成」（構成ｆ）するから、「遊技球が転動可能な遊技領域１２４を区画形成する」「パチンコ機１００」であるといえる。
　したがって、引用発明の「前面枠扉１０６の後面と遊技盤２００の前面とで遊技領域１２４を区画形成し」、「前記遊技盤２００には、外レール２０２と内レール２０４とを配設し、遊技球が転動可能な遊技領域１２４を区画形成」する「パチンコ機１００」は、本願補正発明の「遊技球が流下可能な遊技領域を有する遊技機」（構成Ａ）に相当する。
　
イ　引用発明の「主制御部３００」は、「特図１始動口２３０へ入賞があった場合かつＲＡＭ３０８に設けた対応する特図１保留数記憶領域が満タンでない場合、特図１当選乱数値を取得するとともに、特図１乱数値を取得して記憶手段の特図１乱数値記憶領域に取得順に格納し」、また、「特図２始動口２３２へ入賞があった場合かつＲＡＭ３０８に設けた対応する特図２保留数記憶領域が満タンでない場合、特図２当選乱数値を取得するとともに、特図２乱数値を取得して記憶手段の特図２乱数値記憶領域に取得順に格納し、普図始動口２２８へ入賞があった場合かつＲＡＭ３０８に設けた対応する普図保留数記憶領域が満タンでない場合、普図当選乱数値として取得して対応する記憶手段の普図乱数値記憶領域に格納」（構成ｂ、ｃ）するから、
（ａ）「特図１始動口２３０へ入賞があった場合かつＲＡＭ３０８に設けた対応する特図１保留数記憶領域が満タンでない場合」、「特図２始動口２３２へ入賞があった場合かつＲＡＭ３０８に設けた対応する特図２保留数記憶領域が満タンでない場合」ないし「普図始動口２２８へ入賞があった場合かつＲＡＭ３０８に設けた対応する普図保留数記憶領域が満タンでない場合」、
（ｂ）「特図１当選乱数値を取得する」、「特図２当選乱数値を取得する」ないし「普図当選乱数値として取得」して、
（ｃ）「特図１乱数値を取得して記憶手段の特図１乱数値記憶領域に取得順に格納し」、「特図２乱数値を取得して記憶手段の特図２乱数値記憶領域に取得順に格納し」ないし「普図当選乱数値として取得して対応する記憶手段の普図乱数値記憶領域に格納」
するものであるといえる。
　ここで、引用発明の上記（ａ）の構成は、本願補正発明の「取得条件の成立」との構成に相当し、引用発明の上記（ｂ）の構成は、本願補正発明の「判定情報を取得する」構成に相当し、引用発明の上記（ｃ）の構成は、本願補正発明の「取得手段により取得された判定情報を保留可能な保留記憶手段」に保留する構成に相当する。
　そして、引用発明の「主制御部３００」及び「記憶手段」は、本願補正発明の「取得手段」及び「保留記憶手段」にそれぞれ相当する。
　したがって　引用発明の「主制御部３００」が、「特図１始動口２３０へ入賞があった場合かつＲＡＭ３０８に設けた対応する特図１保留数記憶領域が満タンでない場合、特図１当選乱数値を取得するとともに、特図１乱数値を取得して記憶手段の特図１乱数値記憶領域に取得順に格納し」、「特図２始動口２３２へ入賞があった場合かつＲＡＭ３０８に設けた対応する特図２保留数記憶領域が満タンでない場合、特図２当選乱数値を取得するとともに、特図２乱数値を取得して記憶手段の特図２乱数値記憶領域に取得順に格納し、普図始動口２２８へ入賞があった場合かつＲＡＭ３０８に設けた対応する普図保留数記憶領域が満タンでない場合、普図当選乱数値として取得して対応する記憶手段の普図乱数値記憶領域に格納」する構成は、本願補正発明の「取得条件の成立により判定情報を取得する取得手段」（構成Ｂ）、及び、「前記取得手段により取得された判定情報を保留可能な保留記憶手段」（構成Ｃ）に相当する。
　
ウ　引用発明の「パチンコ機１００の制御部」は、「遊技の中枢部分を制御する主制御部３００と、主制御部３００が送信するコマンド信号に応じて主に演出の制御を行う第１副制御部４００と、第１副制御部４００より送信されたコマンドに基づいて各種機器を制御する第２副制御部５００と、によって構成され」（構成ｄ、ｅ）るから、遊技の中枢部分を制御する主制御部３００、及び、主制御部３００が送信するコマンド信号に応じて主に演出の制御を行う第１副制御部４００を備えるといえる。
　そして、引用発明の「遊技の中枢部分を制御する主制御部３００」が、遊技の進行を制御することは明らかであるから、引用発明の「遊技の中枢部分を制御する主制御部３００」は、本願補正発明の「遊技の進行を制御する第１制御手段」（構成Ｄ）に相当する。
　また、引用発明の「装飾図柄表示装置２０８」は、本願補正発明の「演出表示手段」に相当する。
　さらに、「装飾図柄表示装置２０８による特図変動遊技の当否判定の結果の報知は前記第１副制御部４００によって行われ」るから、装飾図柄表示装置２０８の制御は第１副制御部４００によって行われるといえる。
　そうすると、引用発明の「主制御部３００が送信するコマンド信号に応じて主に演出の制御を行う第１副制御部４００」が、遊技の進行に応じて演出を表示することは明らかであるから、引用発明の「前記パチンコ機１００の制御部は、遊技の中枢部分を制御する主制御部３００と、主制御部３００が送信するコマンド信号に応じて主に演出の制御を行う第１副制御部４００と、第１副制御部４００より送信されたコマンドに基づいて各種機器を制御する第２副制御部５００と、によって構成され、装飾図柄表示装置２０８による特図変動遊技の当否判定の結果の報知は前記第１副制御部４００によって行」う「第１副制御部４００」は、本願補正発明の「前記遊技の進行に応じて演出を表示する演出表示手段を制御する第２制御手段」（構成Ｅ）に相当する。
　
エ　引用発明の「演出装置２０６」には、「略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し、前記普図保留ランプ２１６は、保留している普図変動遊技の数を示すためのランプであり、前記特図１保留ランプ２１８および特図２保留ランプ２２０は、特図変動遊技を所定数まで保留することを可能とし、前記パチンコ機１００の主制御部３００は、主制御部３００の全体を制御する基本回路３０２を備え、前記基本回路３０２には、所定の図柄表示装置、特図１表示装置２１２や特図２表示装置２１４の表示制御を行うための駆動回路３２４と、所定の図柄表示装置、普図表示装置２１０の表示制御を行うための駆動回路３２６と、各種状態表示部３２８（普図保留ランプ２１６、特図１保留ランプ２１８、特図２保留ランプ２２０、高確中ランプ２２２）の表示制御を行うための駆動回路３３０と、を接続し」（構成ｆ）ているから、主制御部３００により制御される、「第１特別図柄表示装置２１２、第２特別図柄表示装置２１４、普通図柄表示装置２１０、特図変動遊技を所定数まで保留することを可能とする特図１保留ランプ２１８および特図２保留ランプ２２０、及び、保留している普図変動遊技の数を示すための普図保留ランプ２１６」（以下「装飾図柄表示装置２０８の周囲の表示器群」という。」）が配設されているといえる。
　そして、引用発明の「装飾図柄表示装置２０８の周囲の表示器群」は、現在の遊技の状態を示すものであるといえる。
　そうすると、引用発明の「装飾図柄表示装置２０８の周囲の表示器群」は、本願補正発明の「第１状態表示器」に相当するといえる。
　したがって、引用発明の「演出装置２０６」に、「略中央に装飾図柄表示装置２０８を配設し、その周囲に、第１特別図柄表示装置２１２と、第２特別図柄表示装置２１４と、普通図柄表示装置２１０と、第１特別図柄保留ランプ２１８と、第２特別図柄保留ランプ２２０と、普通図柄保留ランプ２１６と、高確中ランプ２２２とを配設し、前記普図保留ランプ２１６は、保留している普図変動遊技の数を示すためのランプであり、前記特図１保留ランプ２１８および特図２保留ランプ２２０は、特図変動遊技を所定数まで保留することを可能とし、前記パチンコ機１００の主制御部３００は、主制御部３００の全体を制御する基本回路３０２を備え、前記基本回路３０２には、所定の図柄表示装置、特図１表示装置２１２や特図２表示装置２１４の表示制御を行うための駆動回路３２４と、所定の図柄表示装置、普図表示装置２１０の表示制御を行うための駆動回路３２６と、各種状態表示部３２８（普図保留ランプ２１６、特図１保留ランプ２１８、特図２保留ランプ２２０、高確中ランプ２２２）の表示制御を行うための駆動回路３３０と、を接続し」（構成ｆ）ていることは、本願補正発明の「前記遊技領域外に、前記第１制御手段により制御され現在の遊技の状態を示す複数種類の遊技状態情報を表示する第１状態表示器を設け」（構成Ｆ）ることと、「前記第１制御手段により制御され現在の遊技の状態を示す複数種類の遊技状態情報を表示する第１状態表示器を設け」（構成Ｆ´）る点で一致する。
　
オ　引用発明の「パチンコ機１００」は、「前面枠扉１０６の後面と遊技盤２００の前面とで遊技領域１２４を区画形成し」（構成ａ）、「前記遊技盤２００には、外レール２０２と内レール２０４とを配設し、遊技球が転動可能な遊技領域１２４を区画形成」（構成ｆ）するとともに、「前記演出装置２０６の前面側には、遊技球の転動不可能な領域に演出可動体２２４を配設し」（構成ｇ）ているから、遊技領域１２４に、遊技球の転動不可能な領域が設けられているといえる。
　したがって、引用発明の「パチンコ機１００」は、「前面枠扉１０６の後面と遊技盤２００の前面とで遊技領域１２４を区画形成し」、「前記遊技盤２００には、外レール２０２と内レール２０４とを配設し、遊技球が転動可能な遊技領域１２４を区画形成」するとともに、「前記演出装置２０６の前面側には、遊技球の転動不可能な領域に演出可動体２２４を配設し」ていることは、本願補正発明の「前記遊技領域に、遊技球が流下しない特定遊技領域を設け」（構成Ｇ）ていることに相当する。
　
カ　引用発明の「演出装置２０６」に、「装飾図柄表示装置２０８の表示画面の右側に隣接して、補助表示部８００が設けられ、装飾図柄等を含む所定の演出情報を表示し、装飾図柄表示装置２０８に表示される演出情報の一部または全てを表示可能であり、前記第１副制御部４００のＣＰＵ４０４は、補助表示部８００の各セグメントへの命令がある場合には、この命令を駆動回路４２０に出力し、前記補助表示部８００の表示領域の下部のうち左寄りには、それぞれ円形状を有し、特図１変動遊技の保留数を表示する４つの円形セグメント８０８ａ〜８０８ｄが設けられ、また、補助表示部８００の表示領域の下部のうち右寄りには、それぞれ円形状を有し、特図２変動遊技の保留数を表示する４つの円形セグメント８０９ａ〜８０９ｄが設けられ」（構成ｈ，ｊ）ることは、上記エでの検討を踏まえると、第１副制御部４００により制御され現在の遊技の状態を示す補助表示部８００が設けられることであるといえる。
　そうすると、引用発明の「遊技球の転動不可能な領域に設けられ」た「補助表示部８００」（構成ｇ）は、本願補正発明の「特定遊技領域に」設けられた「第２状態表示器」に相当する。
　したがって、引用発明の「演出装置２０６」の「遊技球の転動不可能な領域に」、「装飾図柄表示装置２０８の表示画面の右側に隣接して、補助表示部８００が設けられ、装飾図柄等を含む所定の演出情報を表示し、装飾図柄表示装置２０８に表示される演出情報の一部または全てを表示可能であり、前記第１副制御部４００のＣＰＵ４０４は、補助表示部８００の各セグメントへの命令がある場合には、この命令を駆動回路４２０に出力し、前記補助表示部８００の表示領域の下部のうち左寄りには、それぞれ円形状を有し、特図１変動遊技の保留数を表示する４つの円形セグメント８０８ａ〜８０８ｄが設けられ、また、補助表示部８００の表示領域の下部のうち右寄りには、それぞれ円形状を有し、特図２変動遊技の保留数を表示する４つの円形セグメント８０９ａ〜８０９ｄが設けられ」ることは、本願補正発明の「前記特定遊技領域に、前記第２制御手段により制御され現在の遊技の状態を示す１又は複数種類の遊技状態情報を表示する第２状態表示器を設け」（構成Ｈ）ることに相当する。
　
キ　上記ウでの検討によれば、引用発明の「装飾図柄表示装置２０８」は、本願補正発明の「演出表示手段」に相当し、上記エでの検討によれば、引用発明の「第１特別図柄表示装置２１２、第２特別図柄表示装置２１４、普通図柄表示装置２１０、特図１保留ランプ２１８、特図２保留ランプ２２０及び普図保留ランプ２１６」は、本願補正発明の「第１状態表示器」に相当し、上記カでの検討によれば、引用発明の「補助表示部８００」は、本願補正発明の「第２状態表示器」に相当する。
　ここで、「装飾図柄表示装置２０８の演出表示領域２０８ｄのうち下端の領域は、特図保留数を表示する特図保留表示領域として用いられ、特図保留表示領域のうち左半分は特図１の保留数を表示する特図１保留表示領域９０１であり、右半分は特図２の保留数を表示する特図２保留表示領域９０２であり、前記特図１保留表示領域９０１には、最大保留数に等しい円形画像が表示され、このうち、特図１の保留数に等しい個数の円形画像は所定色に表示されており、その他の円形画像は白色に表示され、前記特図２保留表示領域９０２についても同様であ」（構成ｉ、ｋ、ｌ）るから、「装飾図柄表示装置２０８」は、「特図１の保留数を表示する特図１保留表示領域９０１」及び「特図２の保留数を表示する特図２保留表示領域９０２」を有する。
　また、「装飾図柄表示装置２０８の周囲の表示器群」は、「特図１保留ランプ２１８および特図２保留ランプ２２０は、特図変動遊技を所定数まで保留すること」を示す。
　さらに、「補助表示部８００」は、「特図１変動遊技の保留数」及び「特図２変動遊技の保留数を表示」する。
　そうすると、「装飾図柄表示装置２０８」、「装飾図柄表示装置２０８の周囲の表示器群」及び「補助表示部８００」は、「特図１の保留数」及び「特図２の保留数」という同じ事項を表示する。
　そして、引用発明の「特図１の保留数」及び「特図２の保留数」は、本願補正発明の「保留記憶手段に保留されている判定情報の保留数」に相当する。
　したがって、引用発明は、本願補正発明の「前記演出表示手段及び前記第１状態表示器は、前記第２状態表示器で表示される同一の遊技状態情報を表示可能であり」（構成Ｉ）、及び、「前記演出表示手段及び前記第１，第２状態表示器は、前記同一の遊技状態情報として、前記保留記憶手段に保留されている判定情報の保留数に関する保留表示を表示可能であり」（構成Ｋ）との構成を備えると認められる。
　これに対して、「装飾図柄表示装置２０８の周囲の表示器群」は、「普図保留ランプ２１６は、保留している普図変動遊技の数を示」すのに対して、「補助表示部８００」は、「保留している普図変動遊技の数」を表示するものではないから、「装飾図柄表示装置２０８の周囲の表示器群」は、「補助表示部８００」で表示されない「保留している普図変動遊技の数」を表示するといえる。
　よって、引用発明は、本願補正発明の「前記第１状態表示器は、前記第２状態表示器で表示されない遊技状態情報を表示可能であり」（構成Ｊ）との構成を備えると認められる。
　
ク　上記キで検討したとおり、「装飾図柄表示装置２０８」は、「特図１の保留数を表示する特図１保留表示領域９０１」及び「特図２の保留数を表示する特図２保留表示領域９０２」を有するところ、引用発明の「特図１の保留数」及び「特図２の保留数」は、本願補正発明の「保留記憶手段に記憶されている判定情報の保留数」に相当する。
　ここで、引用発明の「装飾図柄表示装置２０８」は、「演出表示領域２０８ｄのうち下端の領域は、特図保留数を表示する特図保留表示領域として用いられ、特図保留表示領域のうち左半分は特図１の保留数を表示する特図１保留表示領域９０１であり、右半分は特図２の保留数を表示する特図２保留表示領域９０２であり、前記特図１保留表示領域９０１には、最大保留数に等しい円形画像が表示され、このうち、特図１の保留数に等しい個数の円形画像は所定色に表示されており、その他の円形画像は白色に表示され、前記特図２保留表示領域９０２についても同様であ」（構成ｉ、ｋ、ｌ）ることは、「特図１の保留数を表示する特図１保留表示領域９０１」及び「特図２の保留数を表示する特図２保留表示領域９０２」が、保留数に関する保留表示として保留数に対応する数の識別子（所定色／白色）を示すことであると認められる。
　したがって、引用発明の「装飾図柄表示装置２０８」は、「演出表示領域２０８ｄのうち下端の領域は、特図保留数を表示する特図保留表示領域として用いられ、特図保留表示領域のうち左半分は特図１の保留数を表示する特図１保留表示領域９０１であり、右半分は特図２の保留数を表示する特図２保留表示領域９０２であり、前記特図１保留表示領域９０１には、最大保留数に等しい円形画像が表示され、このうち、特図１の保留数に等しい個数の円形画像は所定色に表示されており、その他の円形画像は白色に表示され、前記特図２保留表示領域９０２についても同様であ」（構成ｉ、ｋ、ｌ）ることは、本願補正発明の「演出表示手段」は、「前記保留表示として、前記保留記憶手段に記憶されている判定情報の保留数を示す第１保留表示と、前記保留記憶手段に記憶されている判定情報の保留数に対応する数の識別子を示す第２保留表示とを表示可能であ」（構成Ｌ）ることと、「前記保留表示として、前記保留記憶手段に記憶されている判定情報の保留数に対応する数の識別子を示す保留表示を表示可能であ」（構成Ｌ´）る点で共通する。
　
ケ　引用発明では、「変動表示が続行している場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能であるとともに、装飾図柄表示装置２０８にリーチ演出が表示された場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能である」（構成ｍ）から、装飾図柄表示装置２０８の特図１保留表示領域９０１及び特図２保留表示領域９０２が表示され、特図１保留ランプ２１８及び特図２保留ランプ２２０が点灯され、補助表示部８００の円形セグメント８０８ａ〜８０８ｄ及び円形セグメント８０９ａ〜８０９ｄが点灯される、変動表示が続行している状態から、装飾図柄表示装置２０８にリーチ演出が表示される状態となっても、装飾図柄表示装置２０８の特図１保留表示領域９０１及び特図２保留表示領域９０２は継続して表示され、特図１保留ランプ２１８及び特図２保留ランプ２２０は継続して点灯され、補助表示部８００の円形セグメント８０８ａ〜８０８ｄ及び円形セグメント８０９ａ〜８０９ｄは継続して点灯しているといえる。
　ここで、引用発明の特図１保留表示領域９０１、特図２保留表示領域９０２、特図１保留ランプ２１８、特図２保留ランプ２２０、円形セグメント８０８ａ〜８０８ｄ及び円形セグメント８０９ａ〜８０９ｄは、本願補正発明の「保留表示」に相当する。
　したがって、引用発明の、「変動表示が続行している場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能であるとともに、装飾図柄表示装置２０８にリーチ演出が表示された場合は、装飾図柄表示装置２０８の特図１保留表示領域９０１及び特図２保留表示領域９０２の所定数は所定色で表示可能であり、特図１保留ランプ２１８及び特図２保留ランプ２２０の所定数は点灯可能であり、補助表示部８００の円形セグメント８０８ａ〜８０８ｄ及び円形セグメント８０９ａ〜８０９ｄの所定数は点灯可能である」（構成ｍ）ことは、本願補正発明の「前記演出表示手段及び前記第１，第２状態表示器に前記保留表示が表示されているときに前記演出表示手段に特定演出が表示されると、前記演出表示手段では前記第２保留表示が非表示になる一方で前記第１保留表示が継続して表示され、前記第１，第２状態表示器では前記保留表示が継続して表示される」（構成Ｍ）ことと、「前記演出表示手段及び前記第１，第２状態表示器に前記保留表示が表示されているときに前記演出表示手段に特定演出が表示されると前記第１，第２状態表示器では前記保留表示が継続して表示される」（構成Ｍ´）ことの点で一致する。
　
コ　引用発明の「弾球遊技機」（構成ｎ）は、本願補正発明の「遊技機」（構成Ｎ）に相当する。
　
サ　したがって、本願補正発明と引用発明とは、
「Ａ　遊技球が流下可能な遊技領域を有する遊技機において、
Ｂ　取得条件の成立により判定情報を取得する取得手段と、
Ｃ　前記取得手段により取得された判定情報を保留可能な保留記憶手段と、
Ｄ　遊技の進行を制御する第１制御手段と、
Ｅ　前記遊技の進行に応じて演出を表示する演出表示手段を制御する第２制御手段とを備え、
Ｆ´　前記第１制御手段により制御され現在の遊技の状態を示す複数種類の遊技状態情報を表示する第１状態表示器を設け、
Ｇ　前記遊技領域に、遊技球が流下しない特定遊技領域を設け、
Ｈ　前記特定遊技領域に、前記第２制御手段により制御され現在の遊技の状態を示す１又は複数種類の遊技状態情報を表示する第２状態表示器を設け、
Ｉ　前記演出表示手段及び前記第１状態表示器は、前記第２状態表示器で表示される同一の遊技状態情報を表示可能であり、
Ｊ　前記第１状態表示器は、前記第２状態表示器で表示されない遊技状態情報を表示可能であり、
Ｋ　前記演出表示手段及び前記第１，第２状態表示器は、前記同一の遊技状態情報として、前記保留記憶手段に保留されている判定情報の保留数に関する保留表示を表示可能であり、
Ｌ´　前記演出表示手段は、前記保留表示として、前記保留記憶手段に記憶されている判定情報の保留数に対応する数の識別子を示す保留表示を表示可能であり、
Ｍ´　前記演出表示手段及び前記第１，第２状態表示器に前記保留表示が表示されているときに前記演出表示手段に特定演出が表示されると、前記第１，第２状態表示器では前記保留表示が継続して表示される、
Ｎ　遊技機。」
である点で一致し、以下の点で相違する。
　
（ア）本願補正発明は、「第１状態表示器」を「遊技領域外」に設けているのに対して、引用発明は、「装飾図柄表示装置２０８の周囲の表示器群」を「遊技領域１２４」外に設けてはいない点（以下「相違点１」という。）。
　
（イ）本願補正発明の「演出表示手段」は、保留表示として、前記保留記憶手段に記憶されている判定情報の保留数を示す「第１保留表示」を表示可能であるのに対して、引用発明の「装飾図柄表示装置２０８」は、保留数に対応する数の識別子を示す保留表示のみを表示可能である点（以下「相違点２」という。）。
　
（ウ）「前記演出表示手段及び前記第１，第２状態表示器に前記保留表示が表示されているときに前記演出表示手段に特定演出が表示されると、前記第１，第２状態表示器では前記保留表示が継続して表示される」（上記Ｍ´）ことに加えて、本願補正発明の「演出表示手段」では、「前記第２保留表示が非表示になる一方で前記第１保留表示が継続して表示され」るのに対して、引用発明の「装飾図柄表示装置２０８」ではこのような表示を行うと特定されない点（以下「相違点３」という。）。
　
（３）判断（下線は当審が付した。）
ア　上記相違点１について検討する。
　引用発明の「装飾図柄表示装置２０８の周囲の表示器群」は「演出装置２０６の前面側の遊技球の転動不可能な領域」に配設されているが、引用文献２には、「遊技機において、第１始動口の入賞に対応して作動する第１特別図柄表示器と、第２始動口の入賞に対応して作動する第２特別図柄表示器と、ゲートの通過に対応して作動する普通図柄表示器と、を備え、抽選結果や保留数に関する表示を行う表示器を、遊技盤の右下の遊技領域の外に配設する点」（引用文献２に記載の事項）が記載されている。
　引用発明の「装飾図柄表示装置２０８の周囲の表示器群」と、引用文献２の「第１始動口の入賞に対応して作動する第１特別図柄表示器と、第２始動口の入賞に対応して作動する第２特別図柄表示器と、ゲートの通過に対応して作動する普通図柄表示器と、を備え、抽選結果や保留数に関する表示を行う表示器」は、いずれも「抽選結果や保留数に関する表示を行う表示器」である点で共通する。
　また、保留数等を表示する表示器を遊技機のどこに配設するかは発明を実施するに際して当業者が適宜定める事項にすぎない。
　よって、引用文献２に記載の事項に基づいて、引用発明の「装飾図柄表示装置２０８の周囲の表示器群」を遊技領域外に配設することにより、上記相違点１に係る本願補正発明の構成となすことは当業者が容易になし得たことである。
　
イ　上記相違点２及び３について検討する。
　引用発明の「装飾図柄表示装置２０８」のような、遊技機の演出用の表示手段において、保留表示として、保留記憶手段に記憶されている判定情報の保留数を示す第１保留表示に加えて、保留記憶手段に記憶されている判定情報の保留数に対応する数の識別子を示す第２保留表示も表示可能であるとともに、演出表示手段及び第１，第２状態表示器に保留表示が表示されているときに
演出表示手段に特定演出が表示されると、
第２保留表示が非表示になる一方で第１保留表示が継続して表示される構成となすこと
　そして、引用発明の「装飾図柄表示装置２０８」と上記従来周知の事項（後記「ウ」文献）の「液晶制御手段７５」及び「画像表示部１１４」は、いずれも、保留数に関する保留表示として、保留記憶手段に記憶されている判定情報の保留数に対応する数の識別子を示す保留表示を表示可能な遊技機の演出用の表示手段であって、演出表示手段に保留表示が表示されているときに特定演出が表示される点で共通する。
　したがって、引用発明において、上記周知の事項を適用して、「前記演出表示手段及び前記第１，第２状態表示器に前記保留表示が表示されているときに前記演出表示手段に特定演出が表示されると、前記第１，第２状態表示器では前記保留表示が継続して表示される」（上記Ｍ´）ことに加えて、「演出表示手段」では「前記第２保留表示が非表示になる一方で前記第１保留表示が継続して表示され」る構成となして、上記相違点２、３に係る本願補正発明の構成となすことは当業者が容易になし得たことである。
　
ウ　文献（下線は当審が付した。）
（ア）特開２０１３−２５２３８５号公報
　特に段落【０２０３】〜【０２０５】の「液晶制御手段７５は、演出図柄変動表示の実行保留数を示す第１，第２保留表示画像Ｘ，Ｙ（主保留画像表示）を生成し、図２７（ａ）に示すように表示画面２１ａの下部箇所に横一列に表示させる。図２７（ａ）では、４個分の第１保留表示画像Ｘが表示され、３個分の第２保留表示画像Ｙが表示されている。・・・また、液晶制御手段７５は、表示画面２１ａの左上隅部箇所に、演出図柄変動表示の実行保留数を示し且つ第１，第２保留表示画像Ｘ，Ｙとは異なる表示態様で表示される副保留画像ＳＲ（副保留画像表示）と、２個の識別画像Ｚ１，Ｚ２とを表示させる。副保留画像ＳＲは、例えば第１，第２保留表示画像Ｘ，Ｙよりも小さく表示されるとともに、表示形式が異なる表示態様としており、ここでは各保留数である数字の『４』及び『３』と表示されている。・・・そして、
液晶制御手段７５は、
予告演出６のバトルモード演出画像Ｗ６の表示が開始され、
第１，第２保留表示画像Ｘ，Ｙ
が予告演出６のバトルモード演出画像Ｗ６によって隠れていき、
副保留画像ＳＲ（保留小表示）は、予告演出６、第１，第２保留表示画像Ｘ，Ｙ（保留大表示）及び演出図柄Ｅ（左図柄、中図柄及び右図柄）よりも表示優先順位が高く設定されており、且つ、予告演出６は第１，第２保留表示画像Ｘ，Ｙ及び演出図柄Ｅ（左図柄、中図柄及び右図柄）よりも表示優先順位が高く設定されているため、液晶制御ＣＰＵ３４は、かかる表示優先順位に基づいて、副保留画像ＳＲを最優先で表示し、且つ、予告演出６のバトルモード演出画像Ｗ６を第１，第２保留表示画像Ｘ，Ｙ及び演出図柄Ｅよりも優先した図柄変動表示画像を生成するようにＶＤＰ３７を制御する。ＶＤＰ３７は、図２７（ｂ）に示すように第１，第２保留表示画像Ｘ，Ｙ及びリーチ中である演出図柄Ｅが予告演出６のバトルモード演出画像Ｗ６に隠れていき、図２７（ｃ）に示すように表示画面２１ａ全体にバトルモード演出画像Ｗ６が表示された状態で当該表示画面２１ａの例えば左上隅部に副保留画像ＳＲと識別画像Ｚ１，Ｚ２とを表示する表示画像を描画生成し、当該表示画像が表示画面２１ａに表示される
図２７は次のとおりである。
【図２７】
（イ）特開２０１２−１２５３４１号公報
　特に段落【０１３２】〜【０１３６】の「画像表示部１１４では、保留数表示が行われる。・・・画像表示部１１４では、変動演出、当たり演出、エンディング演出が行われる。これらの演出では、可動役物１１５が動作することがあり、可動役物１１５は、その動作パターンによっては、画像表示部１１４上の保留数表示を隠してしまう。そこで、本実施の形態では、保留数表示の少なくとも一部が可動役物１１５で隠されるのに備えて、可動役物１１５で隠されない場所に別の保留数表示を用意しておくことで、遊技者が保留数を引き続き認識できるようにする。以下では、可動役物１１５で隠される可能性のある場所に設けられた保留数表示を『擬似保留数表示』と称し、可動役物１１５で隠されない場所に用意された別の保留数表示を『本保留数表示』と称する。・・・可動役物１１５が画像表示部１１４の右側に静止している時点では、図１８−２（ａ）に示すように、画像表示部１１４の中央下部に、保留数Ｕ１を表す擬似保留数表示３５１と、保留数Ｕ２を表す擬似保留数表示３５２とが表示されている。図示の例では、保留数Ｕ１が２であるものとし、擬似保留数表示３５１に２つの保留表示を含めており、保留数Ｕ２が３であるものとし、擬似保留数表示３５２に３つの保留表示を含めている。・・・また、この時点で、可動役物１１５が擬似保留数表示３５１、３５２の少なくとも一部を隠すように動作したときに備え、画像表示部１１４の左上部に、保留数Ｕ１を表す本保留数表示３６１と、保留数Ｕ２を表す本保留数表示３６２とが表示されている。図示の例では、保留数Ｕ１が２であるので、本保留数表示３６１として数字の『２』を表示しており、保留数Ｕ２が３であるので、本保留数表示３６２として数字の『３』を表示している。・・・この後、
可動役物１１５が擬似保留数表示３５１、３５２の少なくとも一部を隠す位置に動いてきたとすると、
擬似保留数表示３５１、３５２は、画像表示部１１４に表示されないようになる。しかし、本保留数表示３６１、３６２は表示されたままになっているので、遊技者は引き続き保留数を認識することが可能である。
図１８−２は次のとおりである。
【図１８−２】
　
（４）本願補正発明が奏する効果について
　上記相違点１ないし３によって本願補正発明が奏する効果は、当業者が引用発明及び引用文献２に記載の事項から予測し得る程度のものであって、格別のものではない。
　
（５）請求人の主張について
ア　請求人は、特に上記相違点３に関して、審判請求書の「[３]本発明が特許されるべき理由」の「３）引用文献と本発明との作用効果について」及び「４）各引用文献の組み合わせについて」において、下記のとおり主張する（下線は当審が付した。）
「３）引用文献と本発明との作用効果について
　引用文献１〜６においては、特定演出の表示中に第２保留表示が非表示の場合に、遊技者が、第１，第２状態表示器の保留表示の表示態様では保留記憶手段に記憶されている判定情報の保留数を認識できなかった場合に混乱してしまうことで特定演出に対する注目が妨げられるといった不都合が生じるおそれがあります。
　これに対して、本発明では、第１保留表示は、保留記憶手段に記憶されている判定情報の保留数を表示するだけの簡潔明瞭な態様であるから、遊技者が一目で保留記憶手段に記憶されている判定情報の保留数を認識することが可能となるため、特定演出の表示中に第２保留表示が非表示の場合に、遊技者が、演出表示手段とは別の第１，第２状態表示器の保留表示から保留記憶手段に記憶されている判定情報の保留数を認識できなかった場合に混乱してしまうことで特定演出に対する注目が妨げられるといった不都合を抑制することができます。
　更に、第１保留表示は、上述のとおり、保留記憶手段に記憶されている判定情報の保留数を表示し、保留記憶手段に記憶されている各判定情報の大当り当選の可能性を示唆するものではないから、特定演出が表示されてから継続して表示されても、遊技者の特定演出に対する注目が妨げられるといった不都合が生じることがありません。
　第２保留表示は、保留記憶手段に記憶されている保留数を識別子の数によって表示すると共に、
表示されている識別子を変化等させるによって
　しかし、特定演出の表示中に第２保留表示を継続して表示して、第２保留表示の識別子が変化することによって、遊技者の特定演出対する注目が妨げられてしまうといった不都合が生じるから、特定演出が表示されると、非表示とする。
　従って、本発明では、特定演出の表示中において、遊技者の特定演出に対する注目を維持させつつ、第１，第２状態表示器を見なくても保留記憶手段に記憶されている判定情報の保留数を容易に認識させることが可能となります。
　このように、本発明は、引用文献１〜６とは異なる格別な効果を奏するものであります。
４）各引用文献の組み合わせについて
　以上説明したように、引用文献１〜６は、本発明の第１，第２の特徴的技術構成（Ｌ），（Ｍ）を備えていないため、「演出表示手段に保留数に関する
表示態様が異なる
　よって、引用文献１〜６から本発明を容易に想到し得るものではありません。」
　
イ　しかしながら、本願補正発明は、第１保留表示と第２保留表示に関して、「保留数を示す」及び「保留数に対応する数の識別子を示す」と特定するにとどまり、「表示態様が異なる」とまでは特定していない。
　また、本願補正発明は、第２保留表示に関して、「表示されている識別子を変化等させる」とまでも特定していない。
　したがって、上記請求人の主張は請求項の記載にのみ基づくものではない。
　また、本願補正発明の構成は、第２保留表示が隠れて非表示となる一方で第１保留表示は隠れず継続して表示する構成となんら相違しないから、上記「（３）」「イ」で検討したとおり、第２保留表示が隠れて非表示となる一方で第１保留表示は隠れず継続して表示する演出は従来周知であって、引用発明に当該周知の事項を適用することにより奏される効果も予測し得た程度のことにすぎない。
　したがって、上記請求人の主張は採用できない。
　
（６）まとめ
　以上のように、本願補正発明は、当業者が引用発明及び引用文献２に記載の事項に基づいて容易に発明をすることができたものであるから、特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
１　本願発明
　本件補正は上記のとおり却下されたので、本願の請求項１に係る発明（以下「本願発明」という。）は、上記「第２」［理由］「１　補正の内容」において、平成２９年１２月１３日付けの手続補正書により補正された特許請求の範囲の請求項１として記載したとおりのものである。
　ここで、本件発明を再掲すると、次のとおりのものである（当審にて、分説のための記号Ａ１からＮ１を付した。以下「構成Ａ１」等という。）。
「【請求項１】
Ａ１　遊技球が流下可能な遊技領域を有する遊技機において、
Ｂ１　取得条件の成立により判定情報を取得する取得手段と、
Ｃ１　前記取得手段により取得された判定情報を保留可能な保留記憶手段と、
Ｄ１　遊技の進行を制御する第１制御手段と、
Ｅ１　前記遊技の進行に応じて演出を表示する演出表示手段を制御する第２制御手段とを備え、
Ｆ１　前記遊技領域外に、前記第１制御手段により制御され現在の遊技の状態を示す複数種類の遊技状態情報を表示する第１状態表示器を設け、
Ｇ１　前記遊技領域に、遊技球が流下しない特定遊技領域を設け、
Ｈ１　前記特定遊技領域に、前記第２制御手段により制御され現在の遊技の状態を示す１又は複数種類の遊技状態情報を表示する第２状態表示器を設け、
Ｉ１　前記演出表示手段及び前記第１状態表示器は、前記第２状態表示器で表示される同一の遊技状態情報を表示可能であり、
Ｊ１　前記第１状態表示器は、前記第２状態表示器で表示されない遊技状態情報を表示可能であり、
Ｋ１　前記演出表示手段及び前記第１，第２状態表示器は、前記同一の遊技状態情報として、前記保留記憶手段に保留されている判定情報の保留数を表示可能であり、
Ｍ１　前記演出表示手段及び前記第１，第２状態表示器に前記保留数が表示されているときに前記演出表示手段に特定演出が表示されると、前記演出表示手段では前記保留数の表示が非表示になる一方、前記第１，第２状態表示器では前記保留数の表示が継続される、
Ｎ１　ことを特徴とする遊技機。」
　
２　拒絶の理由
　原査定の平成３０年５月１８日付けの拒絶査定の概要は、
「●理由（特許法第２９条第２項）について
・請求項　１
・引用文献等　１、２、４−６
・・・
　　　　　　　　　　　　　＜引用文献等一覧＞
１.特開２０１３−０４８７６４号公報
２.特開２０１４−２１７６０２号公報
４.特開２０１４−２００２６２号公報
５.特開２０１４−２１２９４０号公報
６.特開２０１３−１０２８８３号公報」
　というものである。
　
３　引用文献及び引用発明
　引用発明及び引用文献２に記載された事項は、上記「第２」［理由］「３」「（１）」に記載したとおりである。
　
４　対比・判断
（１）対比
　本願発明の構成Ａ１〜Ｊ１及びＮ１と本願補正発明の構成Ａ〜Ｊ及びＮとは同一の構成であるから、上記「第２」［理由］「３」「（２）」での検討を踏まえると、本願発明と引用発明とは、本願発明の構成Ａ１〜Ｅ１、Ｇ〜Ｊ１及びＮ１の点で一致し、本願発明の構成Ｆ１の点で相違するところ、当該相違点は、本件補正発明と引用発明との相違点として抽出した上記相違点１である。
　また、本願発明の構成Ｋ１と本願補正発明の構成Ｋとでは、本願発明の構成Ｋ１では「保留数を表示可能であり」が、本願補正発明の構成Ｋでは「保留数に関する保留表示を表示可能であり」で相違するが、本願補正発明を特定するために必要な事項である「保留数」に関して、「に関する保留表示」との限定を省くものであるから、実質的に相違するものではなく、上記「第２」［理由］「３」「（２）」での検討を踏まえると、本願発明と引用発明とは、本願発明の構成Ｋ１の点でも一致する。
　これに対して、本願発明の構成Ｍ１と本願補正発明の構成Ｍとでは、本願発明の構成Ｍ１では「保留数」ないし「保留数の表示」が、本願補正発明の構成Ｍでは「保留表示」ないし「第２保留表示」で相違するが、「保留表示」は「保留数」に関する表示であり、実質的に相違するものではないことを踏まえると、本願発明と引用発明とは、「前記演出表示手段及び前記第１，第２状態表示器に前記保留数が表示されているときに前記演出表示手段に特定演出が表示されると、前記第１，第２状態表示器では前記保留数の表示が継続される」（構成Ｍ１´）点で一致し、本願発明の「演出表示手段」では、「前記保留数の表示が非表示になる」のに対して、引用発明の「装飾図柄表示装置２０８」では、「特図１保留表示領域９０１及び特図２保留表示領域９０２」が非表示になると特定されない点（以下「相違点４」という。）で相違する。
　したがって、引用発明とは、本願発明は、相違点１及び４で相違する。
　
（２）判断
ア　相違点１について
　相違点１は、上記「第２」［理由］「３」「（３）」「ア」で検討した相違点１であるから、同じ理由により、引用文献２に記載の事項に基づいて、引用発明の「装飾図柄表示装置２０８の周囲の表示器群」を遊技領域外に配設することにより、上記相違点１に係る本願発明の構成となすことは当業者が容易になし得たことである。
　
イ　相違点４について（下線は当審が付した。）
　引用発明の「装飾図柄表示装置２０８」のような、遊技機の演出用の表示手段において、演出表示手段及び第１，第２状態表示器に保留表示が表示されているときに
演出表示手段に特定演出が表示されると、演出表示手段では保留数の表示が非表示になる
　そして、「前記演出表示手段及び前記第１，第２状態表示器に前記保留数が表示されているときに前記演出表示手段に特定演出が表示されると、前記第１，第２状態表示器では前記保留数の表示が継続される」（構成Ｍ１´）ことに加えて、「演出表示手段」では「前記第２保留表示が非表示になる」構成となすことで、上記相違点４に係る本願発明の構成となすことは当業者が容易になし得たことである。
　
ウ　文献（下線は当審が付した。）
（ア）審査官が原査定で示した引用文献４である特開２０１４−２００２６２号公報
　特に段落【０４８３】ないし【０４８５】の「図３９（ｃ）に示す装飾図柄表示装置２０８では、スーパーリーチ演出の開始画面として、画面が真っ暗になっている（以下、暗転演出と称する）。この暗転演出が行われると、装飾図柄表示装置２０８にこれまで表示されていた、装飾図柄の変動表示や、保留表示、および消化保留表示領域２０８５総てが見えなくなる。・・・暗転演出の後、装飾図柄表示装置２０８では、図３９（ｅ）に示すように、左側の主人公と右側の敵役の決闘シーンに画面が切り替わり、装飾図柄の変動表示は画面右上に縮小して表示されている。なお、保留表示や消化保留表示領域２０８５は消えている。・・・やがて、図３９（ｆ）に示すように、スーパーリーチ演出の終了画面が表示され、敵役が逃亡し、画面右上に表示された装飾図柄の変動表示は、『装飾７』−『装飾８』−『装飾７』の組み合わせで揺れ停止表示が開始されている。なお、この場面でも保留表示や消化保留表示領域２０８５は非表示である。ここで、スーパーリーチ演出が終了する。このように、
スーパーリーチ演出の開始（図３９（ｄ））から終了（図３９（ｅ））までの間、保留表示や消化保留表示領域２０８５は、非表示になる
図３９は次のとおりである。
【図３９】
（イ）審査官が原査定で示した引用文献５である特開２０１４−２１２９４０号公報
　特に段落【０５０５】ないし【０５０９】の「図５３を参照して、スーパーリーチ演出の実行中であることを理由として、保留予告演出が制限される場合の演出態様の具体例を説明する。・・・
スーパーリーチ演出の開始タイミングとなると、
第１保留記憶表示部９ａにおける第１保留表示および第２保留記憶表示部９ｂにおける第２保留表示が全て消去され、非表示制御が開始される
図５３は次のとおりである。
【図５３】
（ウ）審査官が原査定で示した引用文献６である特開２０１３−１０２８８３号公報
　特に段落【００７４】の「演出表示装置１１の画像表示部ＧＨでは、遊技に関する演出画像が表示されるが、その中でも、保留記憶数を示す保留画像が表示される。特に、変動ゲーム中では、画像表示部ＧＨにおいて、主に、
可動体Ｋが元の位置から変位する可動体演出が実行される場合には、保留画像が非表示となり、
図４は次のとおりである。
【図４】
　
（３）本願発明が奏する効果について
　上記相違点１及び４によって本願発明が奏する効果は、当業者が引用発明及び引用文献２に記載の事項から予測し得る程度のものであって、格別のものではない。
　
５　むすび
　以上のとおりであるから、本願発明は、特許法第２９条第２項の規定により特許を受けることができない。
　
　よって、結論のとおり審決する。